(57)【要約】【課題】  肥料不足による芝生の局所的な枯れに対し、適宜必要な箇所の土中内へ迅速且つ適確な施肥を可能にする手持ち押圧式土中施肥機を提供する。【解決手段】  長さ凡そ９０ｃｍ〜１３０ｃｍとなした棒体先端部外周を取囲み、且つ該棒体先端の一端を抜出する状態に上下摺動する嘴筒を設け、該嘴筒の少し上方箇所に対し分岐管を側設させると共に、該分岐管に対し肥料容器及びその供給ホースを接続させ、上記嘴筒先端が棒体下端から抜出するさい、上記肥料容器内の肥料が分岐管を介し土中へ流入されるものとなす構成。【選択図】      図２
2005185260.tif 000002
【特許請求の範囲】
【請求項１】
長さ凡そ９０ｃｍ〜１３０ｃｍとなした棒体先端部外周を取囲み、且つ該棒体先端の一端を抜出する状態に上下摺動する嘴筒を設け、該嘴筒の少し上方箇所に対し分岐管を側設させると共に、該分岐管に対し肥料容器及びその供給ホースを接続させ、上記嘴筒先端が棒体下端から抜出するさい、上記肥料容器内の肥料が分岐管を介し土中へ流入されるものとなる構成を特徴とする手持ち押圧式土中施肥機。
【請求項２】
嘴筒の先端から凡そ５ｃｍ〜１０ｃｍの箇所に足踏み板を水平方向へ突設させた構成を特徴とする請求項１記載の手持ち押圧式土中施肥機。
【請求項３】
嘴筒の上部箇所と、該箇所より上方となる箇所の棒体間をスプリングで弾撥させた構成を特徴とする請求項１又は２記載の手持ち押圧式土中施肥機。
【請求項４】
棒体上端には両手持ちのハンドルを、そして棒体先端は尖らせ、且つ先端から凡そ１５ｃｍ〜３０ｃｍの箇所に突き刺し補助用の踏み板を取付けた構成を特徴とする請求項１，２又は３記載の手持ち押圧式土中施肥機。
【請求項５】
円形断面の棒体を、楕円形状の下降断面状に尖らせたものとなし、その尖った先端が嘴筒の流出口と対向する側へ位置するよう配設した構成を特徴とする請求項１，２，３又は４記載の手持ち押圧式土中施肥機。
【発明の詳細な説明】
【技術分野】
【０００１】
本発明は手で持って土中の一定深さへ突き刺し、施肥を可能とする押圧式土中施肥機に関する。
【背景技術】
【０００２】
芝生に肥料を施すのは、表面に上からばら撒くことだけが行われてきた。それは肥料分が降雨や散水によって溶け出し、地中に浸透して行くのを想定されてのことであるが、たとえ水溶性のものでも全部が浸透するとは限らず、時間もかかり流出や流亡も考えられる。また水に溶けないものは全て地表に残ることになる。
【０００３】
肥料のうち有機肥料（コンポストなど）は、その効き方が独特のもので、いわゆる地力を増進させる働きをする。新しく芝生を造成する前は充分に有機質肥料を施し、土壌と攪拌することができるが、一旦芝生が出来上ると地中に施すことは通常できない。従って、最初は良かった芝生も年を経るにつれて衰えてくることが多い。化成肥料を施してもまだら模様ができるのは地力がなくなったためである。  
【０００４】
【特許文献１】実開昭６２−９７５２９
【発明の開示】
【発明が解決しようとする課題】
【０００５】
地表近くにある芝の根茎は、実は幹にあたるもので肥料分を吸収する本当の根は、その節々より出て地下に向って深く入り込んでいるもので、そこを根圏と呼ばれている。その根圏に埋め込むかたちで直接肥料分が届けば一番効果的なはずであり、流亡もない。また有機質肥料（コンポストなど）は地力を増やすために必要な成分そのものであるため実際の施用効果は顕著で、すりきれや固結で弱った芝生は見事に回復する。
【０００６】
而して、すりきれや固結は局所に起きる場合が多く、大型機械の入れない個人庭園や公園の通路、バンカーやグリーン周囲、などせまい個所にも手軽に人力でコンポストなどを埋め込むことができる用具は、とくに望まれるところである。
本発明はスコップや芝生のグリーンホークを使う感覚で芝生の根圏に直接コンポストなどを供給せんとするものであり、同様に庭木や果樹などにも充分使用できる。
【課題を解決するための手段】
【０００７】
上記目的を達成するため、本願発明では長さ凡そ９０ｃｍ〜１３０ｃｍとなした棒体先端部外周を取囲み、且つ該棒体先端の一端を抜出する状態に上下摺動する嘴筒を設け、該嘴筒の少し上方箇所に対し分岐管を側設させると共に、該分岐管に対し肥料容器及びその供給ホースを接続させ、上記嘴筒先端が棒体下端から抜出するさい、上記肥料容器内の肥料が分岐管を介し土中へ流入されるものとなる構成にする。
【０００８】
このさい、嘴筒はその先端から凡そ５ｃｍ〜１０ｃｍの箇所に足踏み板を水平方向へ突設させた構成となし、該足踏み板を踏込むことにより嘴筒先端が土中の一定深さに差し込まれるようになすのであり、また嘴筒の上部箇所と、該箇所より上方となる箇所の棒体間をスプリングで弾撥させた構成とすることにより、上記足踏み板から足が外れることにより、嘴筒が自動的に上方へ摺動移動して復帰するものとなる。また、棒体上端には両手持ちのハンドルを、そして棒体先端は尖らせ、且つ先端から凡そ１５ｃｍ〜３０ｃｍの箇所に突き刺し補助用踏み板を取付けた構成にする。なお、円形断面となした棒体を、その先端が楕円形状の下降断面状となるように尖らせたものとなし、その尖った先端が嘴筒の流出口と対向する側へ位置するように配設したものにする。
【発明の効果】
【０００９】
上記した本発明によれば、次のような効果が得られる。即ち、請求項１記載の発明によれば本機を手で持って棒体先端を土中に押圧式に差し込み、足踏み板を踏み付けるだけで土中の一定深さに嘴筒が挿入されると共に、その先端から肥料容器内の肥料が流下し、土中の適宜一定深さ内へ填入させることができるものとなるのである。
請求項２記載の発明によれば、上記作用が迅速且つ適確に行えるものとなる。
一方、請求項３記載の発明によれば嘴筒の上下摺動が円滑に行われ、その取扱い操作の容易となるものである。
他方、請求項４記載の発明によれば上記に加え、作業性能の向上に資すること大ならしめるものとなる。
なお、請求項５記載の発明によれば上記の作業中に、肥料の流出が格段に優れたものとなる。
【発明を実施するための最良の形態】
【００１０】
本発明の一実施例に係る手持ち押圧式土中施肥機を図１から図５を参照して詳細に説明する。図１は上記手持ち押圧式土中施肥機の正面図、図２は図１の下方部分の斜視図、図３は上記を地表面に当接させる状態を示す説明図、図４は上記の土中へ挿し込む状態を示す作用説明図、図５のＡ，Ｂは上記作用の土中断面説明図である。
【００１１】
これらの図に於いて１は直径凡そ１．５ｃｍ〜３ｃｍ、長さ寸法を凡そ９０ｃｍ〜１３０ｃｍとなした棒体であって、先端１ａは土中へ突き差し易くするべく尖らせてあり、また上端には両手を持って下方に向う押し込み圧を加え易くするためのハンドルが設けたものとなしてある。２は上記棒体１の先端部の一定範囲を取囲んで上下摺動可能なるように設けてなる嘴筒であって、先端２ａは突き刺し容易にするべく尖らせてあり、且つその少し上方箇所即ち凡そ５ｃｍ〜１０ｃｍの箇所には分岐管３を設けたものとなしてあり、且つ該分岐管３と対向する反対側方には次述する足踏み板が取付けてある。
【００１２】
上記に於ける嘴筒２は棒体１をガイドとして、その外周を上下摺動可能になされるのであり、このさい分岐管３を棒体１に沿って上下摺動させる本管２ｂは図２に示す如く、その上半部分を少し大径の半割り管２’に形成し、且つ該半割り管２’の上縁には割り溝ｐを備えた鍔リング４を取付け、棒体１の長さ方向へこれと一体的に突設させた案内板５を、上記鍔リング４の割り溝ｐ内に抱いた状態で上下方向へ摺動されるようになされている。
【００１３】
上記図面で、６は案内板５の下端で棒体１と一体的に取付けられてなる足踏み板であって、棒体１の突き刺し時に地表面ｆが硬くてその先端１ａの突き刺しが困難なさい、該板６を片足で踏み付けることにより、その突き刺しを容易ならしめるようにする。
一方、７は上記二重管２ｂ’の上部側方と、その一定高さ上方となる棒体１の側方へ取付けた各係止ピンｍ及びｎ間を弾撥的に張在させてなるスプリングであって、該スプリング７により通常は嘴筒２はその先端２ａに棒体１の先端１ａが一定長の突出状態となるよう、上方へ引き上げられた状態になされる（図２及び図３参照）のであり、この状態のとき次述する肥料容器内の肥料流出は棒体１の側部がストッパー作用を呈して阻止されるものとなっている。
他方、８は肥料容器であって、上記嘴筒２の上部半割り管２’ｂ側方へ固定したブラケット９を介し、これと一体的に取付けられてなり、且つ肥料容器８はホース１０を介して上記分岐管３の上端に接続されるものとなされる。
【００１４】
上記構成に於いて肥料容器８内にはコンポストなどの粒状肥料１１を貯留させたものとなすのであり、この通常状態では該肥料容器８内の肥料１１は上述したことから外方へ流出したりするようなことはない。
なお、図面で１２は本機を両手で持って作業するさいの利便性を考え、棒体１上端に取付けた両手持ちハンドルであり、また１３は棒体１先端の土中に対する突き刺しを容易ならしめるべく、棒体１の下方箇所（図示例では案内板５の下端）へ一体的に取付けてなる補助踏み板である。
【００１５】
図３は上記本機による施肥作業で地表面ｆに当接させる状態を示すものであり、棒体１の先端１ａを土中に突き刺す状態の斜視図である。上記の突き刺しで地表面ｆの硬い場合は、補助用踏み板１３を右足や左足などで適宜押圧することにより、その突き刺しを容易に行えるものとなる。
而して、次に足踏み板６を図４に示す如く地中に向けて踏み込むのであり、図５のＡ，Ｂは上記の作用により肥料１１が土中に穿設されてなる突き刺し穴１４内へ流入される状態の説明図である。
【００１６】
以上の一連の動作で土中内の一定深さ内へ肥料１１を確実に填入させることのできるものとなるのであり、次に足踏み板６からその踏込んでいた足を外す場合には、嘴筒２はスプリング７による復帰作用で上昇し、図３の状態に戻るのであり、この状態では肥料１１の流出は自動的に停止されるものとなる。
【００１７】
上記に於ける本機の使用では肥料容器８をその内部が見える透明な合成樹脂容器とすることが好ましく、また棒体１の先端１ａを地面に突き刺したさいには、その前後左右を少し揺動させて突き刺し穴１４上縁が少し大きくなるようにすることが好ましく、これにより肥料容器８から流下する肥料１１の突き刺し穴１４に対する流入や、流入後の嘴筒２の原状復帰動作が効率良く行えるものとなって作業性能の向上に寄与するものとなる。
【００１８】
また、本発明では棒体１を円形断面となしたさい、その先端を各図に見られる通り楕円形状の下降断面状に尖らせたものとなし、且つその尖った先端ｋを嘴筒３の流出口ｇと対向する側へ位置するように配設した構成（図５Ａ，Ｂ参照）とすることが好ましく、即ち本発明者らの数多の実験結果によれば上記構成のものが、上記構成外のものに比べて土中に於ける肥料の流出性に格段優れるものになることが解った。
【００１９】
以上の通り、本発明では足踏み板６を踏むと共に、棒体を地表面ｆから１０ｃｍ程度引き抜きながら、適宜他の場所へ移動させる作業を繰り返すことにより土中に対する施肥を、極めて簡便且つ適確に行えるものとなるのである。
【図面の簡単な説明】
【００２０】
【図１】本発明に係る手持ち押圧式土中施肥機の正面図である。
【図２】図１の下方部分の斜視図である。
【図３】上記を地表面に当接させる状態を示す説明図である。
【図４】上記の土中へ挿し込む状態を示す作用説明図である。
【図５】上記作用の土中断面説明図である。
【符号の説明】
【００２１】
１      棒体
２      嘴筒
３      分岐管
５      案内板
６      足踏み板
７      スプリング
８      肥料容器
１１    肥料
１２    手持ちハンドル
１３    補助用踏み板
１４    突き刺し穴
【図１】
2005185260.tif 000003
【図２】
2005185260.tif 000004
【図３】
2005185260.tif 000005
【図４】
2005185260.tif 000006
【図５】
2005185260.tif 000007